【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】  映像フレームの各１ラインの区間を、終了同期符号が挿入される終了同期符号領域と、補助データが挿入される補助データ領域と、開始同期符号が挿入される開始同期符号領域と、少なくとも映像のデータが挿入されるペイロード領域と、で構成されるシリアルディジタルトランスファーインタフェースの伝送パケットを受信するデータ受信方法において、
前記伝送パケットを受信して得た前記映像のデータをデータ出力用メモリ手段に前記映像フレーム単位で記憶してから出力するものとし、
前記映像フレーム単位で所定のデータ量の前記映像のデータの出力が完了したときには、前記映像のデータの出力を打ち切り、次の映像フレームのデータを記憶し出力する
ことを特徴とするデータ受信方法。
【請求項２】  映像フレームの各１ラインの区間を、終了同期符号が挿入される終了同期符号領域と、補助データが挿入される補助データ領域と、開始同期符号が挿入される開始同期符号領域と、少なくとも音声のデータが挿入されるペイロード領域と、で構成されるシリアルディジタルトランスファーインタフェースの伝送パケットを受信するデータ受信方法において、
前記伝送パケットを受信して得た前記音声のデータをデータ出力用メモリ手段にオーディオフレーム単位で記憶してから出力するものとし、
前記オーディオフレームのフレーム切替時点で、前記音声のデータの出力を打ち切り、次のオーディオフレームの前記音声のデータを記憶し出力する
ことを特徴とするデータ受信方法。
【請求項３】  映像フレームの各１ラインの区間を、終了同期符号が挿入される終了同期符号領域と、補助データが挿入される補助データ領域と、開始同期符号が挿入される開始同期符号領域と、映像のデータが挿入されるペイロード領域と、で構成されるシリアルディジタルトランスファーインタフェースの伝送パケットを受信するデータ受信装置において、
前記伝送パケットを受信して得た前記映像のデータを記憶し出力するデータ出力用メモリ手段と、
前記データ出力用メモリ手段に前記映像フレーム単位で前記映像のデータを記憶し、出力させ、所定のデータ量の前記映像のデータの出力が完了したときには、前記映像のデータの出力を打ち切り、次の映像フレームの前記映像のデータを前記データ出力用メモリ手段に記憶し出力させるメモリ制御手段とを有する
ことを特徴とするデータ受信装置。
【請求項４】  映像フレームの各１ラインの区間を、終了同期符号が挿入される終了同期符号領域と、補助データが挿入される補助データ領域と、開始同期符号が挿入される開始同期符号領域と、少なくとも音声のデータが挿入されるペイロード領域と、で構成されるシリアルディジタルトランスファーインタフェースの伝送パケットを受信するデータ受信装置において、
前記伝送パケットを受信して得た前記音声のデータを記憶し出力するデータ出力用メモリ手段と、
前記データ出力メモリ手段からオーディオフレーム単位で前記音声のデータを記憶し、出力させたときに、前記オーディオフレームのフレーム切替時点で、前記音声のデータの出力を打ち切り、次のオーディオフレームのデータを前記データ出力用メモリ手段に記憶し出力させるメモリ制御手段とを有する
ことを特徴とするデータ受信装置。
【手続補正２】
【補正対象書類名】明細書
【補正対象項目名】０００７
【補正方法】変更
【補正の内容】
【０００７】
【課題を解決するための手段】
この発明に係るデータ受信方法は、映像フレームの各１ラインの区間を、終了同期符号が挿入される終了同期符号領域と、補助データが挿入される補助データ領域と、開始同期符号が挿入される開始同期符号領域と、少なくとも映像のデータが挿入されるペイロード領域と、で構成されるシリアルディジタルトランスファーインタフェースの伝送パケットを受信するデータ受信方法において、伝送パケットを受信して得た映像のデータをデータ出力用メモリ手段に映像フレーム単位で記憶してから出力するものとし、
映像フレーム単位で所定のデータ量の映像のデータの出力が完了したときには、映像のデータの出力を打ち切り、次の映像フレームのデータを記憶し出力するものである。
【手続補正３】
【補正対象書類名】明細書
【補正対象項目名】０００８
【補正方法】変更
【補正の内容】
【０００８】
また、映像フレームの各１ラインの区間を、終了同期符号が挿入される終了同期符号領域と、補助データが挿入される補助データ領域と、開始同期符号が挿入される開始同期符号領域と、少なくとも音声のデータが挿入されるペイロード領域と、で構成されるシリアルディジタルトランスファーインタフェースの伝送パケットを受信するデータ受信方法において、伝送パケットを受信して得た音声のデータをデータ出力用メモリ手段にオーディオフレーム単位で記憶してから出力するものとし、オーディオフレームのフレーム切替時点で、音声のデータの出力を打ち切り、次のオーディオフレームの音声のデータを記憶し出力するものである。
【手続補正４】
【補正対象書類名】明細書
【補正対象項目名】０００９
【補正方法】変更
【補正の内容】
【０００９】
さらに、この発明に係るデータ受信装置は、映像フレームの各１ラインの区間を、終了同期符号が挿入される終了同期符号領域と、補助データが挿入される補助データ領域と、開始同期符号が挿入される開始同期符号領域と、映像のデータが挿入されるペイロード領域と、で構成されるシリアルディジタルトランスファーインタフェースの伝送パケットを受信するデータ受信装置において、伝送パケットを受信して得た映像のデータを記憶し出力するデータ出力用メモリ手段と、データ出力用メモリ手段に映像フレーム単位で映像のデータを記憶し、出力させ、所定のデータ量の映像のデータの出力が完了したときには、映像のデータの出力を打ち切り、次の映像フレームの映像のデータをデータ出力用メモリ手段に記憶し出力させるメモリ制御手段とを有するものである。
【手続補正５】
【補正対象書類名】明細書
【補正対象項目名】００１０
【補正方法】変更
【補正の内容】
【００１０】
また、映像フレームの各１ラインの区間を、終了同期符号が挿入される終了同期符号領域と、補助データが挿入される補助データ領域と、開始同期符号が挿入される開始同期符号領域と、少なくとも音声のデータが挿入されるペイロード領域と、で構成されるシリアルディジタルトランスファーインタフェースの伝送パケットを受信するデータ受信装置において、伝送パケットを受信して得た音声のデータを記憶し出力するデータ出力用メモリ手段と、データ出力メモリ手段からオーディオフレーム単位で音声のデータを記憶し、出力させたときに、オーディオフレームのフレーム切替時点で、音声のデータの出力を打ち切り、次のオーディオフレームのデータをデータ出力用メモリ手段に記憶し出力させるメモリ制御手段とを有するものである。
【手続補正６】
【補正対象書類名】明細書
【補正対象項目名】００１５
【補正方法】変更
【補正の内容】
【００１５】
各ラインについて、第１ワードから第４ワードまでの４ワードは、ビデオ信号の領域である１４４０ワードのアクティブビデオ領域の終了を示し、アクティブビデオ領域と後述するアンシラリデータ領域とを分離するための終了同期符号である符号ＥＡＶ（End of Active Video）を格納する領域（終了同期符号領域）として用いられる。
【手続補正７】
【補正対象書類名】明細書
【補正対象項目名】００１６
【補正方法】変更
【補正の内容】
【００１６】
また、各ラインについて、第５ワードから第２７２ワードまでの２６８ワードは、アンシラリデータ領域（補助データ領域）として用いられ、ヘッダ情報等が格納される。第２７３ワードから第２７６ワードまでの４ワードは、アクティブビデオ領域の開始を示し、アクティブビデオ領域とアンシラリデータ領域とを分離するための開始同期符号である符号ＳＡＶ（Start of Active Video）を格納する領域（開始同期符号領域）として用いられ、第２７７ワード以降がアクティブビデオ領域とされている。